(57)【要約】    【課題】小型軽量でしかも持ち運びが容易な物品位置決め置を提供する。      【解決手段】この発明の物品位置決め装置１は、飲料水を収容したボトル３０のキャップ３１に嵌着して結合するキャップ嵌合部２と、該キャップ嵌合部２に配設されて物品を支承するブラケット３とを備えている。    【選択図】  図５
2005344755.tif 000002
【特許請求の範囲】
【請求項１】
ボトルのキャップに嵌着して結合するキャップ嵌合部と、
該キャップ嵌合部に配設され、物品を支承するブラケットと
を備えたことを特徴とする物品位置決め装置。
【請求項２】
前記キャップ嵌合部は、ゴムあるいはプラスチック等の弾性体により形成された筒体部からなることを特徴とする請求項１に記載の物品位置決め装置。
【請求項３】
前記筒体部には、前記ボトルのキャップが嵌挿する開口部が形成され、その内周面には、前記ボトルのキャップ周面のローレット目と係合するローレット目が形成されるとともに、前記筒体部の内径Ｒは、前記ボトルに装着されたキャップの外径Ｌよりも若干小さい径であることを特徴とする請求項２に記載の物品位置決め装置。
【請求項４】
前記筒体部の天井部分にはゴム等の合成樹脂で形成された吸着盤が固着されていることを特徴とする請求項３に記載の物品位置決め装置。
【請求項５】
前記ブラケットは、自由な方向へ回転移動することが出来るボールジョイントを主要構成要素とする自由雲台からなることを特徴とする請求項１に記載の物品位置決め装置。
【請求項６】
前記ボールジョイントの先端には、カメラを取り付ける止めネジが固着されていることを特徴とする請求項５に記載の物品位置決め装置。
【請求項７】
前記ボールジョイントの先端には、カメラ付き携帯電話を収容するホルダが固着されていることを特徴とする請求項５に記載の物品位置決め装置。
【発明の詳細な説明】
【技術分野】
【０００１】
この発明は、物品を位置決めする物品位置決め装置に関し、特に小型カメラ等の物品を手軽に位置決めすることが出来るようにした物品位置決め装置に関する。
【背景技術】
【０００２】
従来から、小型カメラ等の物品を位置決めする物品位置決め装置としては、例えば三脚が知られている。
【０００３】
この三脚は、地表等に配置される通常３本の足を供えた脚部と、この脚部上に搭載され、カメラ等の小型の物品を支持する雲台とから構成されている。
【０００４】
なお、三脚は通常、この脚部と雲台が一体となって持ち運ぶように構成されている。
【０００５】
そして、三脚を使用するに当たっては、まず雲台に配設された止めネジにカメラ底部の取付け雌ネジを螺合させ、これにより雲台上にカメラを取り付け、その後、脚部を所定位置に配置してカメラを位置決めする。
【０００６】
その後、カメラのセルフタイマーあるいはシャッターレリーズ等を利用して、カメラのシャッターを作動させるようにする。
【発明の開示】
【発明が解決しようとする課題】
【０００７】
ところで、上述した、物品位置決め装置である従来の三脚はカメラを無人で所定位置に位置決めする上で至極便利なものではあるが、上述した構造上、脚部および雲台が一体となっており、また雲台上に取り付ける物品の位置決め安定性を確保する上で、総じて重量があり、また形状も大きいので持ち運びに不便な欠点がある。
【０００８】
この発明は上述した事情に鑑み、小型軽量でしかも持ち運びが容易な物品位置決め装置を提供することを目的とする。
【課題を解決するための手段】
【０００９】
上述した課題を解決するため、この発明の物品位置決め装置では、飲料水を収容したボトルのキャップに嵌着して結合するキャップ嵌合部と、該キャップ嵌合部に配設されて物品を支承するブラケットとを備えている。
【発明の効果】
【００１０】
上述した、物品位置決め装置によると、飲料水を収容したボトルのキャップにキャップ嵌合部を嵌着させるとともに、ブラケットにカメラ等の物品を取付け、その後、この物品を取り付けたボトルを地表あるいは地表に定着した構造物等に配置すれば、物品を簡単に所定位置に位置決めすることが出来る。またどこでも入手し易いボトルを脚部として代用するから、使用時にボトルを購入すればよく、従って使用時以外はボトルを携帯する必要が無く、このため小型軽量でしかも持ち運びが容易となる。  
【発明を実施するための最良の形態】
【００１１】
以下、この発明に係る物品位置決め装置の一実施例を詳述する。
【００１２】
図１はこの発明に係る物品位置決め装置１を示す正面図、図２は図１の一部破断面図である。
【００１３】
この物品位置決め装置１は、後述する清涼飲料水等の液体を収容したボトルであるペットボトルのキャップに嵌着して結合するキャップ嵌合部２と、このキャップ嵌合部２に固着され、小型カメラ等の物品を取り付けるブラケット３とから構成されている。
【００１４】
このうち、キャップ嵌合部２は、ゴムあるいはプラスチック等の弾性体により形成された筒体部１０により構成されている。
【００１５】
この筒体部１０は、図２に示すように、下面に後述するペットボトルのキャップが嵌挿する開口部１０ａが形成されている。また筒体部１０の内周面１０ｂには、ペットボトルのキャップ表面に形成されたローレット目と嵌着係合するローレット目１０ｃが形成されている。なお、この筒体部１０の内径Ｒは、通常使用されているペットボトルのキャップの外径Ｌよりも若干小さい径に設定されている（Ｒ＜Ｌ）。
【００１６】
一方、図１に示すブラケット３は、自由な方向へ回転移動することが出来るボールジョイント２０を主要構成要素とする自由雲台２１により構成され、前記ボールジョイント２０を嵌着支承した基部２２は、図２に示すように、スペーサ２３、２４及び取付けネジ２５を介して筒体部１０の上面１０ｄに締着され、そこに固定されている。
【００１７】
なお、前記ボールジョイント２０の先端には、カメラを取り付ける止めネジ２５が固着されている。
【００１８】
次に、上述した物品位置決め装置１の作用を説明し、併せて構成をより詳細に説明する。
【００１９】
まず、図３に示すように、上述した物品位置決め装置１の使用時には一般的にどこでも入手しやすい清涼飲料水等の液体が入ったペットボトル３０を用意する。なお、ペットボトル３０の内部に収容する液体の重量は搭載する物品の重量、および搭載した際の全体の重心の変化等を考慮し、物品を搭載したペットボトル３０が倒れない程度の量に決めればよい。
【００２０】
次に、このペットボトル３０のキャップ３１に、物品位置決め装置１のキャップ嵌合部２を構成する筒体部１０を矢印Ａの如くペットボトル３０のキャップ３１に嵌着する。
【００２１】
なお嵌着の際、キャップ３１の外径Ｌよりも小さい内径Ｒを有する筒体部１０の内周面１０ｂ（図２）が弾性的にその径を拡大し、その反力により筒体部１０の内周面１０ｂがキャップ３１の外周面に強力に密着するとともに、図２で示す筒体部１０の内周面１０ｂに形成されたローレット目１０ｃと図３に示すキャップ３１の外周面に形成されたローレット目３１ａとが係合する。このため図４に示す筒体部１０の嵌着状態では、筒体部１０は図３に示すキャップ３１の円周方向および垂直方向に対する結合力を強めて当該キャップ３１からの脱落が可及的に防止される。
【００２２】
この図４に示す、物品位置決め装置１のペットボトル３０への装着後、矢印Ｂで示すように、ブラケット３の取付けネジ２５にカメラ４０の底面に形成された図示せぬ取り付け雌ネジを螺合させると、図５で示すように当該ブラケット３にカメラ４０が搭載される。
【００２３】
そして、このカメラ４０を搭載したペットボトル３０を地表５０あるいは地表に定着した構造物等に配置すれば、カメラ４０を簡単に任意の位置に位置決めすることが出来る。またこのようにペットボトル３０を位置決めした後、ブラケット３０のボールジョイント２０を介してカメラ４０を任意の位置に移動して位置決めすることが出来る。その後、セルフタイマー、あるいは長時間露光に必要なシャッターレリーズを使用したシャッター操作を行なえば被写体がぶれることなく良好な写真撮影を行なうことが出来ることとなる。
【００２４】
なお、上記実施例では、図２で示すように、キャップ嵌合部２を構成する筒体部１０の内周面１０ｂにローレット目１０ｃを形成し、特に図３に示すキャップ３１の円周方向に対する結合力を強めてキャップ嵌合部２がペットボトル３０のキャップ３１から脱落することを可及的に防止するようにしたが、この発明は上記実施例に限定されることなく、図２と同一部分を同一符合で示す図６のように、キャップ嵌合部２を構成する筒体部１０の天井部分１０ｅにゴム等の合成樹脂で形成された吸着盤４０を固着し、図７で示すように、キャップ嵌合部２の筒体部１０がキャップ３１に嵌着した際に吸着盤４０がキャップ３１の上面３１ｂに吸着し、これにより矢印Ｃで示すペットボトル３０の上下方向に対するキャップ嵌合部２の抜け止めを一層確実にするようにしても良い。
【００２５】
また、上記実施例では、キャップ嵌合部２の抜け止めとして、筒体部１０の内径Ｒを、通常使用されているペットボトルのキャップの外径Ｌよりも若干小さい径に設定するようにしているが、これに加えて、ネジあるいはレバーと帯体からなる締着手段を筒体部１０の周囲に配設し、この締着手段を介して筒体部１０を円周方向に沿って締め付け、当該筒体部１０を強固にキャップに取り付けるようにしても良い。
【００２６】
また上記実施例では、図１に示すように、ブラケット２を自由な方向へ回転移動することが出来るボールジョイント２０および止めネジ２５を主要構成要素とする自由雲台２１により構成するようにしたが、この発明は上記実施例に限定されることなく、図５と同一部分を同一符合で示す図８で示すように、止めネジ部分をカメラ付き携帯電話６０を収容することのできる収容ボックスからなるホルダ７０に変更しても良く、この場合は、カメラ付き携帯電話である物品のカメラ機能を実施する際の物品位置決め装置１として使用することが出来る。
【００２７】
なお、上記各実施例では、ボトルとしてペットボトル３０を使用する場合について詳述したが、この発明は上記実施例に限定されることなく、例えばワインボトル、化粧水ボトル、ビール瓶等の各種ボトルを使用することが出来ることは言うまでも無い。
【産業上の利用可能性】
【００２８】
以上のように、この発明は、小型軽量でしかも持ち運びが容易な物品位置決め装置に適している。
【図面の簡単な説明】
【００２９】
【図１】図１はこの発明に係る物品位置決め装置の一実施例を示す図。
【図２】図２はこの発明に係る物品位置決め装置の一実施例を示す一部破断面図。
【図３】図３は、この発明に係る物品位置決め装置の作用を示す図。
【図４】図４は、この発明に係る物品位置決め装置の作用を示す図。
【図５】図５は、この発明に係る物品位置決め装置の作用を示す図。
【図６】図６はこの発明に係る物品位置決め装置の他の実施例を示す図。
【図７】図７は他の実施例の作用を示す図。
【図８】図８は、この発明に係る物品位置決め装置のさらに他の実施例を示す図。
【符号の説明】
【００３０】
１…物品位置決め装置
２…キャップ嵌合部
３…ブラケット
１０…筒体部
１０ａ…開口部
１０ｂ…内周面
１０ｃ…ローレット目
１０ｅ…天井部分
３０…ボトル
３１…キャップ
４０…吸着盤
２０…ボールジョイント
２１…自由雲台
２５…止めネジ
６０…カメラ付き携帯電話
７０…収容ボックス
Ｒ…筒体部の内径
Ｌ…キャップの外径
【図１】
2005344755.tif 000003
【図２】
2005344755.tif 000004
【図３】
2005344755.tif 000005
【図４】
2005344755.tif 000006
【図５】
2005344755.tif 000007
【図６】
2005344755.tif 000008
【図７】
2005344755.tif 000009
【図８】
2005344755.tif 000010